(57)【要約】【課題】使用者の手、腕、顔等の体に高温となった風が当たることなく、快適な操作が可能な撮像装置を提供すること。【解決手段】撮像装置本体１０１に、バッテリー２１０が装着されると、排気口１０４からの排気はバッテリー取付面１０２、バッテリー取付面からの壁で構成した規制部材１０３ａ、バッテリー２０１により、排気方向が規制され、使用者の手、腕、顔等の体がない方向Ｘから排気する。【選択図】図１
2016092793.tif 000002
【特許請求の範囲】
【請求項１】
本体外側に着脱式バッテリーが装着可能なバッテリー取付部と、排気口を設けたバッテリー取付面と、排気口から製品内部の空気を排気するための送風手段を備えた撮像装置において、バッテリー装着時に排気口からの排気の流れ方向を規制する規制部材を設けたことを特徴とする撮像装置。
【請求項２】
前記送風手段が、ファンであることを特徴とする請求項１に記載の撮像装置。
【請求項３】
前記規制部材が、バッテリー取付面に設けられた壁であることを特徴とする請求項１又は請求項２に記載の撮像装置。
【請求項４】
前記規制部材が、バッテリー取付面に取り付けられた弾性部材であることを特徴とする請求項１又は請求項２に記載の撮像装置。
【発明の詳細な説明】
【技術分野】
【０００１】
本発明は、本体内にファンを搭載した撮像装置に関する。
【背景技術】
【０００２】
近年の撮像装置では、小型化及び消費電力の増加に伴い、撮像装置の内部温度や筺体温度が高温になってしまう。この課題を解決するために、撮像装置本体内にファンを搭載することで、撮像装置の本体内や筺体温度を冷却する構造が提案されている（特許文献１参照）。
【先行技術文献】
【特許文献】
【０００３】
【特許文献１】特開２０１１−８７０２１号公報
【発明の概要】
【発明が解決しようとする課題】
【０００４】
しかしながら、小型化された撮像装置を使用者が把持すると、筺体に設けられた排気口から出てくる高温の風が手、腕、顔等の体の一部に当たってしまう場合があった。
【０００５】
そこで、本発明の目的は、使用者の手、腕、顔等の体に高温となった風が当たることなく、快適な操作が可能な撮像装置を提供することにある。
【課題を解決するための手段】
【０００６】
上記目的を達成するために、請求項１に記載の発明は、本体外側に着脱式バッテリーが装着可能なバッテリー取付部と、排気口を設けたバッテリー取付面と、排気口から製品内部の空気を排気するための通風手段を備えた撮像装置において、バッテリー装着時に排気口からの排気流れ方向を規制する規制部材を設けたことを特徴とする。
【０００７】
請求項２に記載の発明は、前記送風手段が、ファンであることを特徴とする請求項１に記載の撮像装置である。
【０００８】
請求項３に記載の発明は、前記規制部材が、バッテリー取付面に設けられた壁であることを特徴とする請求項１又は請求項２に記載の撮像装置である。
【０００９】
請求項４記載の発明は、前記規制部材が、バッテリー取付面に取り付けられた弾性部材であることを特徴とする請求項１又は請求項２に記載の撮像装置である。
【発明の効果】
【００１０】
本発明の撮像装置によれば、バッテリーを装着することで排気口からの排気方向が規制される。これにより、使用者の手、腕、顔等の体に高温となった風が当たることなく、快適な操作が可能となる。
【図面の簡単な説明】
【００１１】
【図１】本実施形態による規制部材を設けた撮像装置の外観斜視図である。
【図２】本実施形態による規制部材を設けた撮像装置にバッテリーを装着した状態の外観斜視図である。
【図３】本実施形態による使用者が把持した状態の外観斜視図である。
【図４】本実施形態による規制部材を設けた撮像装置にバッテリーを装着した状態の上面図である。
【図５】第１の実施形態による規制部材を設けた撮像装置のＡ−Ａ断面図である。
【図６】第２の実施形態による規制部材を設けた撮像装置のＡ−Ａ断面図である。
【発明を実施するための形態】
【００１２】
以下、本発明を実施するための形態を図面に基づいて説明する。
【００１３】
＜第１の実施形態＞
図１は本実施形態による規制部材を設けた撮像装置の外観斜視図である。図２は本実施系による規制部材を設けた撮像装置にバッテリーを装着した状態の外観斜視図である。図３は本実施形態による使用者が把持した状態の外観斜視図である。図４は本実施系による規制部を設けた撮像装置にバッテリーを装着した状態の上面図である。図５は第１の実施系による規制部を設けた撮像装置にバッテリーを装着した状態のＡ−Ａ断面である。
【００１４】
図１乃至図５において、第１の実施形態を説明する。撮像装置本体101は、後方にバッテリー取付面102を有している。バッテリー取付面102には、物理的にバッテリーを固定するためのバッテリー取付部105と、電気的にバッテリーを接続するためのバッテリー接続端子106、撮像装置本体101内の空気を排出するための排気口104、排気口からの排気を所定の方向へ流れないようにするバッテリー取付面からの壁で構成した規制部材103aが設けられている。撮像装置本体101内には、ファン301が内蔵されており、撮像装置本体101内で熱くなった空気を排気口104から排出することで、撮像装置を冷却している。
【００１５】
撮像装置本体101に、バッテリー201が装着されると、排気口104からの排気はバッテリー取付面102、バッテリー取付面からの壁で構成した規制部材103a、バッテリー201により、排気方向が規制され、使用者の手、腕、顔等の体がない方向Ｘから排気することが可能となる。
【００１６】
＜第２の実施形態＞
図１乃至４、及び図６において、第２の実施形態を説明する。図６は第２の実施系による規制部を設けた撮像装置にバッテリーを装着した状態のＡ−Ａ断面である。
【００１７】
撮像装置本体101は、後方にバッテリー取付面102を有している。バッテリー取付面102には、物理的にバッテリーを固定するためのバッテリー取付部105と、電気的にバッテリーを接続するためのバッテリー接続端子106、撮像装置本体101内の空気を排出するための排気口104、排気口からの排気を所定の方向へ流れないようにする弾性部材で構成した規制部材103bが設けられている。撮像装置本体101内には、ファン301が内蔵されており、撮像装置本体101内で熱くなった空気を排気口104から排出することで、撮像装置を冷却している。
【００１８】
撮像装置本体101に、バッテリー201が装着されると、排気口104からの排気はバッテリー取付面102、弾性部材で構成した規制部材103b、バッテリー201により、排気方向が規制され、使用者の手、腕、顔等の体がない方向Ｘから排気することが可能となる。また、弾性部材で構成した規制部材103bをバッテリー201に当接させることで、通風経路の密閉とバッテリーのガタつき防止を兼ねることが可能となる。
【００１９】
上記複数の実施形態にて説明したように、規制部材の構成は複数の方式が考えられるが、本発明の範囲はこれらの方式に限られる物ではない。使用者の手、腕、顔等の体がない方向Ｘは、複数の方向でも良く、本発明の範囲は方向Ｘの数によって限られるものではない。また、撮像装置のその他の構成及び制御については周知の事実を用いるためここでは詳細な説明と図示を省く。
【００２０】
以上のように本発明によれば、バッテリーを装着することで排気口からの排気方向が規制される。これにより、使用者の手、腕、顔等の体に高温となった風が当たることなく、快適な操作が可能となる。
【符号の説明】
【００２１】
101  撮像装置本体、102  バッテリー取付面、
103a  バッテリー取付面からの壁で構成した規制部材、
103b  弾性部材で構成した規制部材、104  排気口、105  バッテリー取付部、
106  バッテリー接続端子、201  バッテリー、301  ファン、
Ａ−Ａ  撮像装置光軸方向、Ｘ  使用者の手、腕、顔等の体が無い方向
【図１】
2016092793.tif 000003
【図２】
2016092793.tif 000004
【図３】
2016092793.tif 000005
【図４】
2016092793.tif 000006
【図５】
2016092793.tif 000007
【図６】
2016092793.tif 000008